(57)【要約】【課題】電力に関する計測情報を伝送する電力計測システムにおいて、計測情報に関する処理を行なうためのプログラムを簡易な方法でより確実に端末装置にインストールすることが可能な電力計測装置、端末装置、電力計測システム、通信制御方法および通信制御プログラムを提供する。【解決手段】電力計測装置は、電力計測部と、通信相手である対象装置と通信を行ない、前記電力計測部による計測結果に基づく計測情報を無線信号に含めて送信可能な通信部と、前記対象装置が前記計測情報に関する処理を行なうためのプログラムを保存する記憶部とを備え、前記通信部は、前記プログラムを前記無線信号に含めて前記対象装置へ送信することが可能である。【選択図】図１
2015161503.tif 000002
【特許請求の範囲】
【請求項１】
電力計測部と、
通信相手である対象装置と通信を行ない、前記電力計測部による計測結果に基づく計測情報を無線信号に含めて送信可能な通信部と、
前記対象装置が前記計測情報に関する処理を行なうためのプログラムを保存する記憶部とを備え、
前記通信部は、前記プログラムを前記無線信号に含めて前記対象装置へ送信することが可能である、電力計測装置。
【請求項２】
前記電力計測装置は、さらに、
前記対象装置において表示させるＷＥＢ画面の情報を前記通信部経由で前記対象装置へ送信するとともに、前記対象装置から前記通信部を介して受信した情報から、前記ＷＥＢ画面におけるユーザからの入力情報を取得するＷＥＢ処理部を備え、
前記通信部は、前記入力情報の内容に基づいて、前記プログラムを前記対象装置へ送信する、請求項１に記載の電力計測装置。
【請求項３】
電力計測装置と通信可能な端末装置であって、
電力の計測結果に基づく計測情報を含む無線信号を前記電力計測装置から受信する受信部と、
前記計測情報に関する処理を行なうためのプログラムの送信を要求する旨を示す要求情報を前記電力計測装置へ送信する要求部と、
前記電力計測装置から受信した前記プログラムを用いて前記計測情報に関する処理を行なう処理部とを備える、端末装置。
【請求項４】
電力計測装置と、
前記電力計測装置の通信相手である対象装置とを備え、
前記電力計測装置は、電力の計測結果に基づく計測情報を無線信号に含めて送信可能であり、
前記対象装置は、前記電力計測装置との通信接続を確立した後、前記計測情報に関する処理を前記対象装置が行なうためのプログラムの送信を要求する旨を示す要求情報を前記電力計測装置へ送信し、
前記電力計測装置は、前記要求情報を受信して、保存している前記プログラムを前記対象装置へ送信し、
前記対象装置は、受信した前記プログラムを用いて前記計測情報に関する処理を行なう、電力計測システム。
【請求項５】
電力計測装置と、前記電力計測装置の通信相手である対象装置とを備える電力計測システムにおける通信制御方法であって、
前記電力計測装置は、電力の計測結果に基づく計測情報を無線信号に含めて送信可能であり、
前記対象装置が、前記電力計測装置との通信接続を確立した後、前記計測情報に関する処理を前記対象装置が行なうためのプログラムの送信を要求する旨を示す要求情報を前記電力計測装置へ送信するステップと、
前記電力計測装置が、前記要求情報を受信して、保存している前記プログラムを前記対象装置へ送信するステップと、
前記対象装置が、受信した前記プログラムを用いて前記計測情報に関する処理を行なうステップとを含む、通信制御方法。
【請求項６】
通信相手である対象装置と通信を行ない、電力を計測した結果に基づく計測情報を無線信号に含めて送信可能な電力計測装置において用いられる通信制御プログラムであって、コンピュータに、
前記計測情報に関する処理を前記対象装置が行なうためのプログラムを保存する前記電力計測装置における記憶部から前記プログラムを取得するステップと、
取得した前記プログラムを前記無線信号に含めて前記対象装置へ送信するステップとを実行させるための、通信制御プログラム。
【請求項７】
電力計測装置と通信可能な端末装置において用いられる通信制御プログラムであって、コンピュータに、
電力の計測結果に基づく計測情報を含む無線信号を前記電力計測装置から受信するステップと、
前記計測情報に関する処理を行なうためのプログラムの送信を要求する旨を示す要求情報を前記電力計測装置へ送信するステップと、
前記電力計測装置から受信した前記プログラムを用いて前記計測情報に関する処理を行なうステップとを実行させるための、通信制御プログラム。
【発明の詳細な説明】
【技術分野】
【０００１】
本発明は、電力計測装置、端末装置、電力計測システム、通信制御方法および通信制御プログラムに関し、特に、電力に関する計測情報を伝送するための電力計測装置、端末装置、電力計測システム、通信制御方法および通信制御プログラムに関する。
【背景技術】
【０００２】
節電等の目的から家庭および職場における消費電力量を測定し、ユーザにおいて消費電力量を確認可能とする電力計測システムが開発されている。
【０００３】
このような電力計測システムでは、たとえば、電力計測を行なう電力計測装置とタブレット等の端末装置とが無線ネットワーク経由で通信を行なうことにより、ユーザは、消費電力に関する情報を端末装置において確認することができる。
【０００４】
具体的には、たとえば、ユーザは、端末装置にインストールされたアプリケーションプログラムを用いて、消費電力に関する情報を確認することができる。
【０００５】
特開２０１２−３２３８６号公報（特許文献１）には、以下のような電力モニタリングシステムが開示されている。すなわち、電力データ収集送信装置で計測された居室別の消費電力の電力データを、無線アンテナで、各居室に配置されたコンピュータに通じるネットワークへブロードキャスト送信し、これらの各居室のコンピュータに、送信された消費電力の電力データを処理するプログラムソフトをインストールし、コンピュータに接続したディスプレイ装置に、当該居室での消費電力をリアルタイムで表示する。これにより、表示される消費電力の電力データを見る当該居室に居る人が、省電力への対応を迅速に行なうことができる。
【先行技術文献】
【特許文献】
【０００６】
【特許文献１】特開２０１２−３２３８６号公報
【発明の概要】
【発明が解決しようとする課題】
【０００７】
上記のような端末装置にアプリケーションプログラムをインストールする方法として、アプリケーションプログラムを、インターネット経由でダウンロードするか、またはメディアで提供する方法が考えられる。
【０００８】
しかしながら、このような方法では、インターネット接続環境が必要となるか、または、メディアのコストを要する。また、電力計測装置にアプリケーションプログラムを記憶するメディアを同梱する場合、ハードウェアの制約等により、当該メディアを端末装置に接続できない場合も考えられる。
【０００９】
この発明は、上述の課題を解決するためになされたもので、その目的は、電力に関する計測情報を伝送する電力計測システムにおいて、計測情報に関する処理を行なうためのプログラムを簡易な方法でより確実に端末装置にインストールすることが可能な電力計測装置、端末装置、電力計測システム、通信制御方法および通信制御プログラムを提供することである。
【課題を解決するための手段】
【００１０】
（１）上記課題を解決するために、この発明のある局面に係わる電力計測装置は、電力計測部と、通信相手である対象装置と通信を行ない、前記電力計測部による計測結果に基づく計測情報を無線信号に含めて送信可能な通信部と、前記対象装置が前記計測情報に関する処理を行なうためのプログラムを保存する記憶部とを備え、前記通信部は、前記プログラムを前記無線信号に含めて前記対象装置へ送信することが可能である。
【００１１】
（３）上記課題を解決するために、この発明のある局面に係わる端末装置は、電力計測装置と通信可能な端末装置であって、電力の計測結果に基づく計測情報を含む無線信号を前記電力計測装置から受信する受信部と、前記計測情報に関する処理を行なうためのプログラムの送信を要求する旨を示す要求情報を前記電力計測装置へ送信する要求部と、前記電力計測装置から受信した前記プログラムを用いて前記計測情報に関する処理を行なう処理部とを備える。
【００１２】
（４）上記課題を解決するために、この発明のある局面に係わる電力計測システムは、電力計測装置と、前記電力計測装置の通信相手である対象装置とを備え、前記電力計測装置は、電力の計測結果に基づく計測情報を無線信号に含めて送信可能であり、前記対象装置は、前記電力計測装置との通信接続を確立した後、前記計測情報に関する処理を前記対象装置が行なうためのプログラムの送信を要求する旨を示す要求情報を前記電力計測装置へ送信し、前記電力計測装置は、前記要求情報を受信して、保存している前記プログラムを前記対象装置へ送信し、前記対象装置は、受信した前記プログラムを用いて前記計測情報に関する処理を行なう。
【００１３】
（５）上記課題を解決するために、この発明のある局面に係わる通信制御方法は、電力計測装置と、前記電力計測装置の通信相手である対象装置とを備える電力計測システムにおける通信制御方法であって、前記電力計測装置は、電力の計測結果に基づく計測情報を無線信号に含めて送信可能であり、前記対象装置が、前記電力計測装置との通信接続を確立した後、前記計測情報に関する処理を前記対象装置が行なうためのプログラムの送信を要求する旨を示す要求情報を前記電力計測装置へ送信するステップと、前記電力計測装置が、前記要求情報を受信して、保存している前記プログラムを前記対象装置へ送信するステップと、前記対象装置が、受信した前記プログラムを用いて前記計測情報に関する処理を行なうステップとを含む。
【００１４】
（６）上記課題を解決するために、この発明のある局面に係わる通信制御プログラムは、通信相手である対象装置と通信を行ない、電力を計測した結果に基づく計測情報を無線信号に含めて送信可能な電力計測装置において用いられる通信制御プログラムであって、コンピュータに、前記計測情報に関する処理を前記対象装置が行なうためのプログラムを保存する前記電力計測装置における記憶部から前記プログラムを取得するステップと、取得した前記プログラムを前記無線信号に含めて前記対象装置へ送信するステップとを実行させるためのプログラムである。
【００１５】
（７）上記課題を解決するために、この発明のある局面に係わる通信制御プログラムは、電力計測装置と通信可能な端末装置において用いられる通信制御プログラムであって、コンピュータに、電力の計測結果に基づく計測情報を含む無線信号を前記電力計測装置から受信するステップと、前記計測情報に関する処理を行なうためのプログラムの送信を要求する旨を示す要求情報を前記電力計測装置へ送信するステップと、前記電力計測装置から受信した前記プログラムを用いて前記計測情報に関する処理を行なうステップとを実行させるためのプログラムである。
【００１６】
本発明は、このような特徴的な処理部を備える電力計測装置として実現できるだけでなく、かかる特徴的な処理をステップとする方法として実現することができる。また、電力計測装置の一部または全部を実現する半導体集積回路として実現することができる。
【００１７】
また、本発明は、このような特徴的な処理部を備える端末装置として実現できるだけでなく、かかる特徴的な処理をステップとする方法として実現することができる。また、端末装置の一部または全部を実現する半導体集積回路として実現することができる。
【００１８】
また、本発明は、このような特徴的な処理部を備える電力計測システムとして実現できるだけでなく、かかる特徴的な処理のステップをコンピュータに実行させるためのプログラムとして実現することができる。また、電力計測システムの一部または全部を実現する半導体集積回路として実現することができる。
【発明の効果】
【００１９】
本発明によれば、電力に関する計測情報を伝送する電力計測システムにおいて、計測情報に関する処理を行なうためのプログラムを簡易な方法でより確実に端末装置にインストールすることができる。
【図面の簡単な説明】
【００２０】
【図１】図１は、本発明の実施の形態に係る電力計測システムの構成を示す図である。
【図２】図２は、本発明の実施の形態に係る電力計測システムにおける端末装置の構成を示す図である。
【図３】図３は、本発明の実施の形態に係る電力計測システムが計測情報およびアプリケーションプログラムを伝送する際の動作手順の一例を定めたフローチャートである。
【発明を実施するための形態】
【００２１】
最初に、本発明の実施形態の内容を列記して説明する。
【００２２】
（１）本発明の実施の形態に係る電力計測装置は、電力計測部と、通信相手である対象装置と通信を行ない、前記電力計測部による計測結果に基づく計測情報を無線信号に含めて送信可能な通信部と、前記対象装置が前記計測情報に関する処理を行なうためのプログラムを保存する記憶部とを備え、前記通信部は、前記プログラムを前記無線信号に含めて前記対象装置へ送信することが可能である。
【００２３】
このように、計測情報に関する処理を行なうためのプログラムを電力計測装置において保持し、当該プログラムを対象装置へ無線伝送する構成により、たとえばインターネット経由およびメディア経由でのプログラムの取得が不要となる。したがって、本発明の実施の形態に係る電力計測装置では、電力に関する計測情報を伝送する電力計測システムにおいて、計測情報に関する処理を行なうためのプログラムを簡易な方法でより確実に端末装置にインストールすることができる。
【００２４】
（２）好ましくは、前記電力計測装置は、さらに、前記対象装置において表示させるＷＥＢ画面の情報を前記通信部経由で前記対象装置へ送信するとともに、前記対象装置から前記通信部を介して受信した情報から、前記ＷＥＢ画面におけるユーザからの入力情報を取得するＷＥＢ処理部を備え、前記通信部は、前記入力情報の内容に基づいて、前記プログラムを前記対象装置へ送信する。
【００２５】
このような構成により、ユーザは、使い慣れた対象装置のＷＥＢブラウザを用いた簡易な操作でプログラムをインストールすることができるため、ユーザの使用感を向上させることができる。
【００２６】
（３）本発明の実施の形態に係る端末装置は、電力計測装置と通信可能な端末装置であって、電力の計測結果に基づく計測情報を含む無線信号を前記電力計測装置から受信する受信部と、前記計測情報に関する処理を行なうためのプログラムの送信を要求する旨を示す要求情報を前記電力計測装置へ送信する要求部と、前記電力計測装置から受信した前記プログラムを用いて前記計測情報に関する処理を行なう処理部とを備える。
【００２７】
このように、電力計測装置において保持されたプログラムであって、計測情報に関する処理を行なうためのプログラムを端末装置が要求し、無線伝送によって取得する構成により、たとえばインターネット経由およびメディア経由でのプログラムの取得が不要となる。したがって、本発明の実施の形態に係る端末装置では、電力に関する計測情報を伝送する電力計測システムにおいて、計測情報に関する処理を行なうためのプログラムを簡易な方法でより確実に端末装置にインストールすることができる。
【００２８】
（４）本発明の実施の形態に係る電力計測システムは、電力計測装置と、前記電力計測装置の通信相手である対象装置とを備え、前記電力計測装置は、電力の計測結果に基づく計測情報を無線信号に含めて送信可能であり、前記対象装置は、前記電力計測装置との通信接続を確立した後、前記計測情報に関する処理を前記対象装置が行なうためのプログラムの送信を要求する旨を示す要求情報を前記電力計測装置へ送信し、前記電力計測装置は、前記要求情報を受信して、保存している前記プログラムを前記対象装置へ送信し、前記対象装置は、受信した前記プログラムを用いて前記計測情報に関する処理を行なう。
【００２９】
このように、計測情報に関する処理を行なうためのプログラムを電力計測装置において保持し、当該プログラムを対象装置へ無線伝送する構成により、たとえばインターネット経由およびメディア経由でのプログラムの取得が不要となる。したがって、本発明の実施の形態に係る電力計測システムでは、電力に関する計測情報を伝送する電力計測システムにおいて、計測情報に関する処理を行なうためのプログラムを簡易な方法でより確実に端末装置にインストールすることができる。
【００３０】
（５）本発明の実施の形態に係る通信制御方法は、電力計測装置と、前記電力計測装置の通信相手である対象装置とを備える電力計測システムにおける通信制御方法であって、前記電力計測装置は、電力の計測結果に基づく計測情報を無線信号に含めて送信可能であり、前記対象装置が、前記電力計測装置との通信接続を確立した後、前記計測情報に関する処理を前記対象装置が行なうためのプログラムの送信を要求する旨を示す要求情報を前記電力計測装置へ送信するステップと、前記電力計測装置が、前記要求情報を受信して、保存している前記プログラムを前記対象装置へ送信するステップと、前記対象装置が、受信した前記プログラムを用いて前記計測情報に関する処理を行なうステップとを含む。
【００３１】
このように、計測情報に関する処理を行なうためのプログラムを電力計測装置において保持し、当該プログラムを対象装置へ無線伝送する構成により、たとえばインターネット経由およびメディア経由でのプログラムの取得が不要となる。したがって、本発明の実施の形態に係る通信制御方法では、電力に関する計測情報を伝送する電力計測システムにおいて、計測情報に関する処理を行なうためのプログラムを簡易な方法でより確実に端末装置にインストールすることができる。
【００３２】
（６）本発明の実施の形態に係る通信制御プログラムは、通信相手である対象装置と通信を行ない、電力を計測した結果に基づく計測情報を無線信号に含めて送信可能な電力計測装置において用いられる通信制御プログラムであって、コンピュータに、前記計測情報に関する処理を前記対象装置が行なうためのプログラムを保存する前記電力計測装置における記憶部から前記プログラムを取得するステップと、取得した前記プログラムを前記無線信号に含めて前記対象装置へ送信するステップとを実行させるためのプログラムである。
【００３３】
このように、計測情報に関する処理を行なうためのプログラムを電力計測装置において保持し、当該プログラムを対象装置へ無線伝送する構成により、たとえばインターネット経由およびメディア経由でのプログラムの取得が不要となる。したがって、本発明の実施の形態に係る通信制御プログラムでは、電力に関する計測情報を伝送する電力計測システムにおいて、計測情報に関する処理を行なうためのプログラムを簡易な方法でより確実に端末装置にインストールすることができる。
【００３４】
（７）本発明の実施の形態に係る通信制御プログラムは、電力計測装置と通信可能な端末装置において用いられる通信制御プログラムであって、コンピュータに、電力の計測結果に基づく計測情報を含む無線信号を前記電力計測装置から受信するステップと、前記計測情報に関する処理を行なうためのプログラムの送信を要求する旨を示す要求情報を前記電力計測装置へ送信するステップと、前記電力計測装置から受信した前記プログラムを用いて前記計測情報に関する処理を行なうステップとを実行させるためのプログラムである。
【００３５】
このように、電力計測装置において保持されたプログラムであって、計測情報に関する処理を行なうためのプログラムを端末装置が要求し、無線伝送によって取得する構成により、たとえばインターネット経由およびメディア経由でのプログラムの取得が不要となる。したがって、本発明の実施の形態に係る通信制御プログラムでは、電力に関する計測情報を伝送する電力計測システムにおいて、計測情報に関する処理を行なうためのプログラムを簡易な方法でより確実に端末装置にインストールすることができる。
【００３６】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３７】
［構成および基本動作］
図１は、本発明の実施の形態に係る電力計測システムの構成を示す図である。
【００３８】
図１を参照して、電力計測システム３０１は、家庭内および職場内等の宅内に構築され、電力計測装置１０１と、無線ＬＡＮルータ（中継装置）１５１と、ＰＣＳ（パワーコンディショナ）１６２と、発電装置１６３と、ＣＴセンサ１６４と、端末装置２０２とを備える。電力計測装置１０１は、電圧変換回路１１と、演算処理部（ＷＥＢ処理部）１２と、通信部１３と、記憶部１４と、クロック回路１５と、電源回路１６と、操作部１７とを備える。電圧変換回路１１の一部または全部、および演算処理部１２の一部または全部が、本発明の実施の形態に係る電力計測部に相当する。
【００３９】
電力計測装置１０１は、たとえば、宅内における売買電力を計測するとともに、宅内における発電電力を計測する。そして、電力計測装置１０１は、たとえば、宅内における発電電力、消費電力および売買電力を示す計測情報を作成して保持する。また、電力計測装置１０１は、作成した計測情報を無線信号に含めて無線ＬＡＮルータ１５１へ送信する。
【００４０】
無線ＬＡＮルータ１５１は、電力計測装置１０１から受信した無線信号に含まれる計測情報を再び無線信号に含めて端末装置２０２へ送信する。
【００４１】
端末装置２０２は、無線ＬＡＮルータ１５１経由で電力計測装置１０１から受信した計測情報を処理することにより、各種電力のグラフ表示、料金表示、および二酸化炭素の削減量の表示等を行なう。
【００４２】
ＣＴセンサ１６４は、分電盤１６６において、電力系統１６１に接続された電力線１６５を通して流れる電流を測定し、測定した電流値に応じた信号を電圧変換回路１１へ出力する。
【００４３】
発電装置１６３は、たとえば、太陽光発電装置であり、発電した直流電力をＰＣＳ１６２へ出力する。
【００４４】
ＰＣＳ１６２は、発電装置１６３から受けた直流電力を交流電力に変換して電力線１６５へ出力する。また、ＰＣＳ１６２は、発電装置１６３の発電電力を測定し、測定結果を示す信号を演算処理部１２へ出力する。
【００４５】
電圧変換回路１１は、ＣＴセンサ１６４から受けた信号を、ＣＴセンサ１６４によって測定された電流値に応じたレベルの電圧であって適切な範囲の電圧に変換して演算処理部１２へ出力する。また、電圧変換回路１１は、電力線１６５の電圧を適切な範囲の電圧に変換して演算処理部１２へ出力する。
【００４６】
演算処理部１２は、たとえばＣＰＵ（Ｃｅｎｔｒａｌ  Ｐｒｏｃｅｓｓｉｎｇ  Ｕｎｉｔ）またはマイコンであり、各種演算処理および各ユニットの制御を行なう。たとえば、演算処理部１２は、電圧変換回路１１から受けた各電圧、およびＰＣＳ１６２から受けた信号に基づいて、宅内における発電電力、消費電力および売買電力を示す計測情報を作成して記憶部１４に保存する。なお、計測情報は、電力を示す情報に限らず、電圧または電流等を示す情報であってもよい。記憶部１４は、たとえばフラッシュメモリである。
【００４７】
具体的には、発電装置１６３の発電量が大きく、発電装置１６３からＰＣＳ１６２および電力線１６５を介して電力系統１６１に電力が供給されている売電状態では、演算処理部１２において売電力が算出される。また、発電装置１６３の発電量が足りず、電力系統１６１から電力線１６５を介して宅内に電力が供給されている状態では、演算処理部１２において買電力が算出される。また、演算処理部１２は、売電状態において、宅内の総消費電力＝発電装置１６３の発電量−売電量と算出し、買電状態において、宅内の総消費電力＝発電装置１６３の発電量＋買電量と算出する。
【００４８】
通信部１３は、通信相手である対象装置たとえば端末装置２０２と無線通信を行なう。より詳細には、通信部１３は、無線ＬＡＮルータ１５１と無線信号を送受信することにより、無線ＬＡＮルータ１５１を介して端末装置２０２と各種情報をやり取りする。
【００４９】
より詳細には、演算処理部１２は、各種情報を通信部１３へ出力する。通信部１３は、演算処理部１２から受けた情報を含む無線信号を生成して無線ＬＡＮルータ１５１経由で端末装置２０２へ送信する。たとえば、通信部１３は、電力計測部による計測結果に基づく計測情報を無線信号に含めて送信可能である。
【００５０】
また、通信部１３は、無線ＬＡＮルータ１５１から受信した無線信号に含まれる各種情報を取得し、取得した情報を演算処理部１２へ出力する。
【００５１】
具体的には、たとえば、通信部１３は、無線ＬＡＮルータ１５１から受信した無線信号に含まれる端末装置２０２からの電力情報要求を取得し、取得した電力情報要求を演算処理部１２へ出力する。
【００５２】
演算処理部１２は、通信部１３から電力情報要求を受けて、記憶部１４から計測情報を取得し、取得した計測情報を通信部１３へ出力する。
【００５３】
通信部１３は、演算処理部１２から受けた計測情報を含む無線信号を生成して無線ＬＡＮルータ１５１経由で端末装置２０２へ送信する。
【００５４】
操作部１７は、たとえばスイッチを含み、ユーザの操作に応じた操作信号を演算処理部１２へ出力する。クロック回路１５は、演算処理部１２の動作クロックを生成して演算処理部１２へ出力する。電源回路１６は、電力計測装置１０１における各回路に電力を供給する。電源回路１６は、たとえばＰＣＳ１６２から電力の供給を受ける。
【００５５】
記憶部１４は、端末装置２０２が計測情報に関する処理を行なうためのアプリケーションプログラムを保存する。
【００５６】
通信部１３は、演算処理部１２によって記憶部１４から取得されたアプリケーションプログラムを無線信号に含めて端末装置２０２へ送信することが可能である。
【００５７】
図２は、本発明の実施の形態に係る電力計測システムにおける端末装置の構成を示す図である。
【００５８】
図２を参照して、端末装置２０２は、通信部（受信部）２１と、演算処理部（要求部）２２と、表示部２３と、操作部２４と、たとえばフラッシュメモリである記憶部２５とを備える。
【００５９】
演算処理部２２は、たとえばＣＰＵまたはマイコンであり、各種演算処理および各ユニットの制御を行なう。
【００６０】
操作部２４は、ユーザの操作を受け付け、当該操作内容に応じた操作信号を演算処理部２２へ出力する。
【００６１】
通信部２１は、無線ＬＡＮルータ１５１と無線信号を送受信することにより、無線ＬＡＮルータ１５１を介して電力計測装置１０１等の他の装置と各種情報をやり取りする。
【００６２】
より詳細には、演算処理部２２は、各種情報を通信部２１へ出力する。通信部２１は、演算処理部２２から受けた情報を含む無線信号を生成して無線ＬＡＮルータ１５１経由で電力計測装置１０１等の他の装置へ送信する。
【００６３】
また、通信部２１は、無線ＬＡＮルータ１５１から受信した無線信号に含まれる情報を取得し、取得した情報を演算処理部２２へ出力する。
【００６４】
具体的には、たとえば、演算処理部２２は、電力要求情報を通信部２１へ出力する。通信部２１は、演算処理部２２から受けた電力要求情報を含む無線信号を生成して無線ＬＡＮルータ１５１経由で電力計測装置１０１へ送信する。
【００６５】
また、通信部２１は、無線ＬＡＮルータ１５１から受信した無線信号に含まれる電力計測装置１０１からの計測情報を取得し、取得した計測情報を演算処理部２２へ出力する。
【００６６】
演算処理部２２は、計測情報に関する処理を行なうためのアプリケーションプログラムの送信を要求する旨を示すダウンロード要求を電力計測装置１０１へ送信する。
【００６７】
そして、演算処理部２２は、電力計測装置１０１から受信したアプリケーションプログラムを記憶部２５に保存する。演算処理部２２は、このアプリケーションプログラムを用いて計測情報に関する処理を行なう。
【００６８】
具体的には、演算処理部２２は、記憶部２５に保持されているアプリケーションプログラムをロードして電力モニタ用のアプリケーションを起動し、当該アプリケーションを用いて通信部２１から受けた計測情報を処理することにより、表示部２３において、各種電力のグラフ表示、料金表示、および二酸化炭素の削減量の表示等を行なう。
【００６９】
［動作］
次に、本発明の実施の形態に係る電力計測システムにおける計測情報の伝送動作について説明する。
【００７０】
電力計測システム３０１における各装置は、コンピュータを備え、当該コンピュータにおけるＣＰＵ等の演算処理部は、以下のフローチャートの各ステップの一部または全部を含むプログラムを図示しないメモリから読み出して実行する。これら複数の装置のプログラムは、それぞれ、外部からインストールすることができる。これら複数の装置のプログラムは、それぞれ、記録媒体に格納された状態で流通する。
【００７１】
図３は、本発明の実施の形態に係る電力計測システムが計測情報およびアプリケーションプログラムを伝送する際の動作手順の一例を定めたフローチャートである。
【００７２】
電力計測装置１０１において、演算処理部１２は、端末装置２０２において表示させるＷＥＢ画面の情報を通信部１３経由で端末装置２０２へ送信する。また、演算処理部１２は、端末装置２０２から通信部１３を介して受信した情報から、ＷＥＢ画面におけるユーザからの入力情報を取得する。
【００７３】
そして、通信部１３は、上記入力情報の内容に基づいて、アプリケーションプログラムを端末装置２０２へ送信する。
【００７４】
具体的には、図３を参照して、まず、電力計測装置１０１および端末装置２０２は、たとえば無線ＬＡＮルータ１５１を介して互いに通信可能な状態である。なお、電力計測装置１０１の通信部１３および端末装置２０２の通信部２１は、互いの通信接続を確立することにより、他の装置を介さずに通信可能な状態であってもよい（ステップＳ１）。
【００７５】
次に、端末装置２０２は、自己にインストールされているブラウザを起動する（ステップＳ２）。
【００７６】
次に、ユーザは、操作部２４を介して、電力計測装置１０１が提供するＷＥＢサイトのＵＲＬを端末装置２０２に入力する（ステップＳ３）。
【００７７】
次に、端末装置２０２は、ユーザから入力されたＵＲＬを含むＷＥＢ情報要求を電力計測装置１０１へ送信する（ステップＳ４）。
【００７８】
次に、電力計測装置１０１は、端末装置２０２からＷＥＢ情報要求を受信して、自己の提供するＷＥＢサイトのページを含むＷＥＢ画面情報を端末装置２０２へ送信する。このＷＥＢ画面情報は、電力計測装置１０１が作成してもよいし、予め記憶部１４に保持されていてもよい（ステップＳ５）。
【００７９】
次に、端末装置２０２は、電力計測装置１０１から受信したＷＥＢ画面情報に基づいて、ＷＥＢ画面を表示する（ステップＳ６）。
【００８０】
次に、ユーザは、ＷＥＢ画面において、操作部２４を介してダウンロード指示を入力する（ステップＳ７）。
【００８１】
次に、端末装置２０２は、ユーザからのダウンロード指示を受けて、ダウンロード要求を電力計測装置１０１へ送信する（ステップＳ８）。
【００８２】
次に、電力計測装置１０１は、端末装置２０２からダウンロード要求を受信して、記憶部１４から電力モニタ用のアプリケーションプログラムのファイルを取得し、当該ファイルを端末装置２０２へ送信する（ステップＳ９）。
【００８３】
次に、端末装置２０２は、電力計測装置１０１から受信したファイルを展開してアプリケーションプログラムをインストールする、すなわち記憶部２５への保存および必要な設定等を行なう。そして、端末装置２０２は、記憶部２５に保持されているアプリケーションプログラムをロードして電力モニタ用のアプリケーションを起動する（ステップＳ１０）。
【００８４】
次に、端末装置２０２は、正しい時刻の計測情報を電力計測装置１０１から取得するために、時刻情報を電力計測装置１０１へ送信する（ステップＳ１１）。
【００８５】
次に、電力計測装置１０１は、端末装置２０２から受信した時刻情報に基づいて、自己の時計を設定する。電力計測装置１０１は、この時計を用いて、各種電力の測定結果と時刻とを対応付けた計測情報を作成する（ステップＳ１２）。
【００８６】
次に、端末装置２０２は、電力情報要求を電力計測装置１０１へ送信する（ステップＳ１３）。
【００８７】
次に、電力計測装置１０１は、端末装置２０２から電力情報要求を受信して、計測情報を端末装置２０２へ送信する（ステップＳ１４）。
【００８８】
次に、端末装置２０２は、電力計測装置１０１から受信した計測情報を上記アプリケーションを用いて処理することにより、各種電力のグラフ表示、料金表示、および二酸化炭素の削減量の表示等を行なう（ステップＳ１５）。
【００８９】
また、端末装置２０２は、たとえば、電力要求情報を電力計測装置１０１へ定期的に送信することにより、計測情報を定期的に受信し、各種電力表示を更新する。
なお、電力計測システム３０１は、端末装置２０２から電力計測装置１０１への時刻情報の送信（ステップＳ１１）および電力計測装置１０１における時計の設定（ステップＳ１２）を行なわない構成であってもよい。
【００９０】
ところで、端末装置にアプリケーションプログラムをインストールする方法として、アプリケーションプログラム等、インターネット経由でダウンロードするか、またはメディアで提供する方法が考えられる。しかしながら、このような方法では、インターネット接続環境が必要となるか、または、メディアのコストを要する。また、電力計測装置にアプリケーションプログラムを記憶するメディアを同梱する場合、ハードウェアの制約等により、当該メディアを端末装置に接続できない場合が考えられる。
【００９１】
これに対して、本発明の実施の形態に係る電力計測装置では、通信部１３は、通信相手である対象装置たとえば端末装置２０２と無線通信を行ない、電力計測部による計測結果に基づく計測情報を無線信号に含めて送信可能である。記憶部１４は、端末装置２０２が計測情報に関する処理を行なうためのアプリケーションプログラムを保存する。そして、通信部１３は、アプリケーションプログラムを無線信号に含めて端末装置２０２へ送信することが可能である。
【００９２】
このように、計測情報に関する処理を行なうためのプログラムを電力計測装置１０１において保持し、当該プログラムを端末装置２０２へ無線伝送する構成により、たとえばインターネット経由およびメディア経由でのアプリケーションプログラムの取得が不要となる。
【００９３】
したがって、本発明の実施の形態に係る電力計測装置では、電力に関する計測情報を伝送する電力計測システムにおいて、計測情報に関する処理を行なうためのプログラムを簡易な方法でより確実に端末装置にインストールすることができる。
【００９４】
また、本発明の実施の形態に係る電力計測装置では、演算処理部１２は、端末装置２０２において表示させるＷＥＢ画面の情報を通信部１３経由で端末装置２０２へ送信する。また、演算処理部１２は、端末装置２０２から通信部１３を介して受信した情報から、ＷＥＢ画面におけるユーザからの入力情報を取得する。そして、通信部１３は、上記入力情報の内容に基づいて、アプリケーションプログラムを端末装置２０２へ送信する。
【００９５】
このような構成により、ユーザは、使い慣れた端末装置２０２のＷＥＢブラウザを用いた簡易な操作でアプリケーションプログラムをインストールすることができるため、ユーザの使用感を向上させることができる。
【００９６】
また、本発明の実施の形態に係る端末装置では、通信部２１は、電力の計測結果に基づく計測情報を含む無線信号を電力計測装置１０１から受信する。演算処理部２２は、計測情報に関する処理を行なうためのアプリケーションプログラムの送信を要求する旨を示すダウンロード要求を電力計測装置１０１へ送信する。そして、演算処理部２２は、電力計測装置１０１から受信したアプリケーションプログラムを用いて計測情報に関する処理を行なう。
【００９７】
このように、電力計測装置１０１において保持された電力モニタ用のアプリケーションプログラムを端末装置２０２が要求し、無線伝送によって取得する構成により、たとえばインターネット経由およびメディア経由でのアプリケーションプログラムの取得が不要となる。
【００９８】
したがって、本発明の実施の形態に係る端末装置では、電力に関する計測情報を伝送する電力計測システムにおいて、計測情報に関する処理を行なうためのプログラムを簡易な方法でより確実に端末装置にインストールすることができる。
【００９９】
また、本発明の実施の形態に係る電力計測システムおよび通信制御方法では、まず、端末装置２０２が、電力計測装置１０１との通信接続を確立した後、計測情報に関する処理を端末装置２０２が行なうためのアプリケーションプログラムの送信を要求する旨を示すダウンロード要求を電力計測装置１０１へ送信する。次に、電力計測装置１０１が、ダウンロード要求を受信して、保存しているアプリケーションプログラムを端末装置２０２へ送信する。次に、端末装置２０２が、受信したアプリケーションプログラムを用いて計測情報に関する処理を行なう。
【０１００】
このように、計測情報に関する処理を行なうためのプログラムを電力計測装置１０１において保持し、当該プログラムを端末装置２０２へ無線伝送する構成により、たとえばインターネット経由およびメディア経由でのアプリケーションプログラムの取得が不要となる。
【０１０１】
したがって、本発明の実施の形態に係る電力計測システムおよび通信制御方法では、電力に関する計測情報を伝送する電力計測システムにおいて、計測情報に関する処理を行なうためのプログラムを簡易な方法でより確実に端末装置にインストールすることができる。
【０１０２】
なお、本発明の実施の形態に係る電力計測システムは、無線ＬＡＮシステムを用いた無線通信を行なう構成であるとしたが、これに限定するものではない。電力計測システム３０１は、無線ＬＡＮシステムの代わりに、ＺｉｇＢｅｅ（登録商標）、Ｂｌｕｅｔｏｏｔｈ（登録商標）、ＬＴＥに従う移動体通信システム、およびＷｉＭＡＸ等、他の無線通信システムを用いた無線通信を行なう構成であってもよい。
【０１０３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１０４】
以上の説明は、以下に付記する特徴を含む。
【０１０５】
［付記１］
電力計測部と、
通信相手である対象装置と通信を行ない、前記電力計測部による計測結果に基づく計測情報を無線信号に含めて送信可能な通信部と、
前記対象装置が前記計測情報に関する処理を行なうためのプログラムを保存する記憶部とを備え、
前記通信部は、前記プログラムを前記無線信号に含めて前記対象装置へ送信することが可能であり、
前記計測情報は、宅内における発電電力、消費電力および売買電力の少なくともいずれか１つを示す、電力計測装置。
【０１０６】
［付記２］
電力計測装置と通信可能な端末装置であって、
電力の計測結果に基づく計測情報を含む無線信号を前記電力計測装置から受信する受信部と、
前記計測情報に関する処理を行なうためのプログラムの送信を要求する旨を示す要求情報を前記電力計測装置へ送信する要求部と、
前記電力計測装置から受信した前記プログラムを用いて前記計測情報に関する処理を行なう処理部とを備え、
前記計測情報は、宅内における発電電力、消費電力および売買電力の少なくともいずれか１つを示す、端末装置。
【０１０７】
［付記３］
電力計測装置と、
前記電力計測装置の通信相手である対象装置とを備え、
前記電力計測装置は、電力の計測結果に基づく計測情報を無線信号に含めて送信可能であり、
前記対象装置は、前記電力計測装置との通信接続を確立した後、前記計測情報に関する処理を前記対象装置が行なうためのプログラムの送信を要求する旨を示す要求情報を前記電力計測装置へ送信し、
前記電力計測装置は、前記要求情報を受信して、保存している前記プログラムを前記対象装置へ送信し、
前記対象装置は、受信した前記プログラムを用いて前記計測情報に関する処理を行ない、
前記計測情報は、宅内における発電電力、消費電力および売買電力の少なくともいずれか１つを示す、電力計測システム。
【符号の説明】
【０１０８】
１１  電圧変換回路
１２  演算処理部
１３  通信部
１４  記憶部
１５  クロック回路
１６  電源回路
１７  操作部
２１  通信部（受信部）
２２  演算処理部（要求部）
２３  表示部
２４  操作部
２５  記憶部
１０１  電力計測装置
１５１  無線ＬＡＮルータ（中継装置）
１６２  ＰＣＳ
１６３  発電装置
１６４  ＣＴセンサ
２０２  端末装置
３０１  電力計測システム
【図１】
2015161503.tif 000003
【図２】
2015161503.tif 000004
【図３】
2015161503.tif 000005